(57)【特許請求の範囲】
【請求項１】
発光体と前記発光体を発光させる電源とを収納する透明もしくは半透明のケースと、
前記ケース内に前記電源のプラス電極とマイナス電極とにそれぞれ接触する少なくとも２つの金属部材を備える電気回路と、
前記電源の少なくとも一方の電極と前記金属部材間との電気回路を通電有無にすると共に
前記ケース外に飛び出ることのない移動可能な絶縁体からなるスライド部材と、
ゴルフティーに脱着可能な弾性部材と、
前記スライド部材と前記弾性部材とを接続する紐状部材と、
を備えるゴルフティーに連結された発光装置。
【請求項２】
前記電気回路内に音響発生器を備えることを特徴とする請求項１に記載のゴルフティーに連結された発光装置。
【請求項３】
前記ケースに地面固定用部材を備えることを特徴とする請求項１及び２に記載のゴルフティーに連結された発光装置。
【請求項４】
前記発光装置から前記紐状部材を取外すことでゴルフボールのマーカーとなることを特徴とする請求項１、２及び３に記載のゴルフティーに連結された発光装置。
【発明の詳細な説明】
【技術分野】
【０００１】
本発明は、ゴルフのティーショットにおいて、ゴルフボールを打球後、飛んだゴルフティーを容易に見つけることの出来る装置に関するものである。
【背景技術】
【０００２】
ゴルフでは、ティーグランド等でゴルフボールをゴルフティー上に置いてティーショットを行うが、天候の良い日やティーグランド周辺に草の少ない場合等は、明るく障害物がないためティーショット後に飛んだティーを探すことは比較的容易である。しかし、夏秋の草の多い時期、早朝夜間の暗い時間帯、また、悪天候等で視界の悪い環境下で、ティーショット後に飛んだティーを探すことが困難な場合がある。そのため、従来からゴルフティーの紛失を防ぐために様々な方法が考案されている。
【０００３】
例えば、ゴルフティーと錘を伸縮可能な紐で繋ぎ、ティーショット時の衝撃を伸縮可能な紐で緩和してゴルフティーの飛びを少なくした考案がある。（例えば、特許文献１参照）
【０００４】
また、飛んだゴルフティーが草むら内にあっても、ゴルフティーにリボン状の帯体を取り付ける方法やゴルフティーに支持体を取付ける方法で、ゴルフティーを見付け易くしている考案もある。（例えば、特許文献２、３参照）
【０００５】
このように、ティーショット時にゴルフティーの飛びを少なくする方法や目立ち易い部材をゴルフティーに取り付けて見つけ易くする方法が考案されているが、ティーへの衝撃具合によりゴルフティーの飛びを完全に防ぐことは難しく、飛んだティーが近くの探しにくい夏場の草地等に入った場合は容易に探すことが出来ない場合がある。また、視界の悪い環境では一目で草地等からゴルフティーを探し出すことが難しい。
【先行技術文献】
【特許文献】
【０００６】
【特許文献１】特開2004-201767号公報
【特許文献２】実開平07-021072号公報
【特許文献３】特開平07-031700号公報
【発明の概要】
【発明が解決しようとする課題】
【０００７】
解決しようとする問題点は、夏秋の草の多い時期、早朝夜間の暗い時間帯、また、悪天候等の視界の悪い環境下で、ティーショット後のゴルフティーを容易に探すことが出来ない点である。
【課題を解決するための手段】
【０００８】
上記目的を達成するため、本発明におけるゴルフティーに連結された発光装置の第１の態様は、発光装置内に、発光体と前記発光体を発光させる電源とを収納する透明もしくは半透明のケース内に前記電源のプラス電極とマイナス電極とにそれぞれ接触する少なくとも２つの金属部材を備える電気回路と前記電源の少なくとも一方の電極と前記金属部材間との電気回路を通電有無にすると共に前記ケース外に飛び出ることのない移動可能な絶縁体からなるスライド部材とゴルフティーに脱着可能な弾性部材とを連結する紐状の部材とを備えることを特徴とするゴルフティーに連結された発光装置である。
【０００９】
本発明におけるゴルフティーに連結された発光装置の第２の態様は、第１の態様において前記電気回路内に音響発生器を備えることを特徴とするゴルフティーに連結された発光装置である。
【００１０】
本発明におけるゴルフティーに連結された発光装置の第３の態様は、第１の態様または第２の態様において、前記ケースに地面固定用部材を備えることを特徴とするゴルフティーに連結された発光装置である。
【００１１】
本発明におけるゴルフティーに連結された発光装置の第４の態様は、第１、第２の態様及び、第３の態様において、前記発光装置から前記紐状の部材を外すことにより、ゴルフボールのマーカーとなることを特徴とするゴルフティーに連結された発光装置である。
【発明の効果】
【００１２】
本発明のゴルフティーに連結された発光装置は、夏秋の草の多い時期や早朝夜間の暗い時間帯、また、悪天候等の視界の悪い環境下で、ティーショット後にティーに連結された発光装置が点灯もしくは点滅すると共に、虫の声や音楽が流れることにより、ゴルフティーに連結された発光装置の場所を聴覚や視覚で感じることが出来き、容易にティーを探し出せる利点がある。
【図面の簡単な説明】
【００１３】
【図１】本発明の第一の実施例であるゴルフティーに連結された発光装置の全体を示す斜視図である。（実施例１）
【図２】本発明の第一の実施例の発光装置内部の斜視図である。（実施例１）
【図３】本発明の第一の実施例の電気回路が通電していない状態の発光装置の断面図である。（実施例１）
【図４】本発明の第一の実施例の電気回路が通電している状態の発光装置の断面図である。（実施例１）
【図５】本発明の第二の実施例であるゴルフティーに連結された発光装置の全体を示す斜視図である。（実施例２）
【図６】本発明の第二の実施例の発光装置内部の斜視図である。（実施例２）
【図７】本発明の第二の実施例の発光装置の裏面斜視図である。（実施例２）
【図８】本発明の第二の実施例の電気回路が通電していない状態の発光装置の断面図である。（実施例２）
【図９】本発明の第二の実施例の電気回路が通電している状態の発光装置の断面図である。（実施例２）
【発明を実施するための形態】
【００１４】
ティーショットで飛んだゴルフティーを容易に見つけるという目的を、ゴルフボールを打球後、ティーに連結された発光装置が点滅もしくは、点灯すると共に虫の声や音楽等が流れることにより実現した。
【実施例１】
【００１５】
添付図面を参照しながら、本発明の第一の実施例の形態について詳細に説明する。図１は、本発明における実施形態のゴルフティー１とそのゴルフティー１を容易に見つけることの出来る発光装置３の構成全体を示す斜視図である。詳しくは、ゴルフティー１には容易に脱着可能な例えばゴム、エラストマー等からなる弾性部材２が装着されており、弾性部材２は紐５によって発光装置３から突出しているスライドレバー４と連結されている。ティーショットでは、地面に刺したゴルフティー１の上に図示しないゴルフボールを置き、ゴルフクラブの打力によりゴルフボールと共にゴルフティー１も飛ぶ。ゴルフティー１が飛ぶことでゴルフティー１に装着された弾性部材２と連結された紐５は一緒に引っ張られ、紐５の張力によりスライドレバー４は発光装置３の外側方向、すなわちＸ方向に移動し、電気回路が通電し、発光装置３内部の発光体が発光する構造となっている。発光装置３の外側ケースは内部の発光体の光が外部から認識出来るように、透明もしくは半透明のプラスチック材料のケースＡ１１とケースＢ１２と電池交換蓋１３で構成されている。また、スライドレバー４はケースＢ１２の内部に設けられた図示しない壁にあたり、発光装置３から飛び出ることのない構造となっている。
【００１６】
図２、図３及び図４を用いて、本発明の主要部である発光装置３について詳細に説明する。
図２は、説明のためケースＢ１２の一部を除いた本発明の第一の実施例の発光装置３内部の斜視図である。また、図３は、本発明の第一の実施例の電気回路が通電していない状態を示す発光装置３の断面図であり、図４は、本発明の第一の実施例の電気回路が通電している状態を示す発光装置３の断面図である。発光装置３内部には、発光体である発光ダイオード６を発光させる電源のコイン形電池７とコイン形電池７のプラス電極７ａとマイナス電極７ｂにそれぞれ接触するＳＵＳ、りん青銅等の導電性材料で構成されたプラス電極部材１０とマイナス電極部材９がコイン型電池７を挟む形で配置されており、プラス電極部材１０は発光ダイオード６のプラス極端子６ａとマイナス電極部材９は発光ダイオード６のマイナス極端子６ｂとそれぞれが半田付け、またはカシメ等の接続方法で、通電可能に接続された電気回路を有する。また、前記発光ダイオード６を発光させる電気回路内には音楽や虫の声等を発する音響発生器８が配置されている。ケースＡ１１とケースＢ１２とは、ねじ１４で固定されている。本発明では固定方法にねじ１４を用いたが、ねじ１４を使用しない構造として、ケースの弾性を利用しケースＡ１１とケースＢ１２のどちらか一方に、突起および凹部を設けて嵌合接合させても良い。
【００１７】
コイン形電池７の交換は、ケースＡ１１に容易に脱着可能な構造、例えばフック構造で構成された電池交換蓋１３を開けて行う。コイン形電池７の取り出しは、ケースＡ１１およびケースＢ１２に設けられた図示しないガイドにより、スムースな交換が可能となる。
【００１８】
図３及び図４を用いて電気回路の通電有無の構造について説明する。図３は電気回路が通電しない状態を示し、プラス電極部材１０とコイン電池７のプラス電極７ａは、絶縁体で構成されたスライドレバー４によって空間が保たれ接触しない状態であり、発光ダイオード６と音響発生器８の電気回路は通電しない。一方、図４は電気回路が通電した状態を示し、前記説明のように、ゴルフティー１にゴルフボールを置きティーショットするとゴルフティー１は、ゴルフクラブの打力により飛び、ゴルフティー１に連結された紐５の張力でスライドレバー４はＸ方向へと移動した図である。Ｘ方向へと移動したスライドレバー４は図示されていない発光装置３のケースＢ１２内の壁に当たり停止する。プラス電極部材１０とコイン電池７の間の絶縁体で構成されたスライドレバー４は除かれ、プラス電極部材１０とコイン電池７は接触し、発光ダイオード６と音響発生器８の電気回路は通電し、発光ダイオード６が点滅もしくは点灯すると共に、音響発生器８から虫の声や音楽等が流れる。音響発生器８は図示しないスイッチにより、電気回路から電気的に切り離すことが可能である。
【００１９】
また、ゴルフティー１が見つかった場合等の発光ダイオード６の点滅もしくは点灯の必要がなくなった時は、スライドレバー４をケースＡ１１のストッパー１１ａに当たるまで−Ｘ方向に移動させることにより、プラス電極部材１０とコイン電池７の間はスライドレバー４により空間が保たれて通電しなくなり、発光ダイオード６および音響発生器８は機能しなくなる。すなわち図３の状態となる。スライドレバー４は、Ｘ及び−Ｘ方向にスムースに移動可能なようにケースＢ１２内に図示されていないガイドが設けられている。
【００２０】
本発明では、電源にコイン形電池７を用いたが、ボタン形電池でも、ＣＲ１２３Ａ、単４等の円筒形電池でも、9V形等平形多層電池でも良い。また、本発明では、電気回路の通電有無を行うスライドレバー４を電源であるコイン形電池７のプラス極側に配置したが、マイナス極側に配置しても良い。
【実施例２】
【００２１】
添付図面を参照しながら、本発明の第二の実施例の形態について詳細に説明する。図５は、本発明における実施形態のゴルフティー１とそのゴルフティー１を容易に見つけることの出来る発光装置３の構成全体を示す斜視図である。詳しくは、ゴルフティー１には容易に脱着可能な例えばゴム、エラストマー等からなる弾性部材２が装着されており、弾性部材２は紐５によって発光装置３から突出しているスライドレバー４と連結されている。ティーショットでは、地面に刺したゴルフティー１の上に図示しないゴルフボールを置き、ゴルフクラブの打力によりゴルフボールと共にゴルフティー１も飛ぶ。ゴルフティー１が飛ぶことでゴルフティー１に装着された弾性部材２と連結された紐５は一緒に引っ張られ、紐５の張力によりスライドレバー４は発光装置３の外側方向、すなわちＸ方向に移動し、電気回路が通電し、発光装置３内部の発光体が発光する。発光装置３の外側ケースは内部の発光体の光が外部から認識出来るように、透明もしくは半透明のプラスチック材料のケースＡ１１とケースＢ１２と後に図７を用い説明する電池交換蓋１３で構成されている。また、スライドレバー４はケースＡ１１の内部に設けられた図示しない壁により、発光装置３から飛び出ることのない構造となっている。
【００２２】
図６、図８及び図９を用いて、本発明の主要部である発光装置３について詳細に説明する。図６は、ケースＡ１１を取り外した本発明の第二の実施例の発光装置３内部の斜視図である。また、図８は、本発明の第二の実施例の電気回路が通電していない状態を示す発光装置３の断面図であり、図９は、本発明の第二の実施例の電気回路が通電している状態を示す発光装置３の断面図である。発光装置３は、発光体である発光ダイオード６を発光させる電源のコイン形電池７とコイン形電池７のプラス電極７ａの側面と接触するＳＵＳ、りん青銅等の導電性材料で構成されたプラス電極部材１６とマイナス電極７ｂの平面に接触するマイナス電極部材１５が配置されている。プラス電極部材１６は発光ダイオード６のプラス極端子６ａとマイナス電極部材１５は発光ダイオード６のマイナス極端子６ｂとそれぞれが半田付け、またはカシメ等で通電可能に接続された電気回路を有する。また、前記発光ダイオード６を発光させる電気回路内には音楽や虫の声等を発する音響発生器８が配置されている。ケースＡ１１とケースＢ１２との接合は、ケースの弾性を利用しケースＢ１２にケースＢ１２ａの突起を設け、ケースＡ１１内側の嵌合部に凹部を数箇所設けた構造となっている。このとき、突起および凹部はケースＡ１１とケースＢ１２のどちらに設けても良く、勘合する構造であれば良い。
【００２３】
図８及び図９を用いて電気回路の通電有無の構造について説明する。図８は電気回路が通電しない状態を示し、マイナス電極部材１５とコイン電池７のマイナス電極７ｂは、絶縁体で構成されたスライドレバー４により空間が保たれ接触しない状態であり、発光ダイオード６と音響発生器８の電気回路は通電しない。一方、図９は電気回路が通電した状態を示し、前記説明のように、ゴルフティー１にゴルフボールを置きティーショットするとゴルフティー１は、ゴルフクラブの打力により飛び、ゴルフティー１に連結された紐５の張力でスライドレバー４はＸ方向へと移動した図である。Ｘ方向へと移動したスライドレバー４は図示されていない発光装置３のケースＡ１１内の壁に当たり停止する。マイナス電極部材１５とコイン電池７のマイナス電極７ｂ間の絶縁体で構成されたスライドレバー４は除かれ、マイナス電極部材１５とコイン電池７のマイナス電極７ｂは接触し、発光ダイオード６と音響発生器８の電気回路は通電し、発光ダイオード６が点滅もしくは点灯すると共に、音響発生器８からは虫の声や音楽等が流れる。音響発生器８は図示しないスイッチにより、電気回路から電気的に切り離すことが可能である。
【００２４】
また、ゴルフティー１が見つかった場合等、発光ダイオード６の点滅もしくは点灯の必要がなくなった場合は、スライドレバー４をケースＡ１１のストッパー１１ａに当たるまで−Ｘ方向に移動させることにより、マイナス電極部材１５とコイン電池７の間はスライドレバー４により空間が保たれて通電しなくなり、発光ダイオード６および音響発生器８は機能しなくなる。スライドレバー４は、Ｘ及び−Ｘ方向にスムースに移動可能なようにマイナス電極部材１５に図示されていないガイドが設けられている。
【００２５】
図７は、発光装置３の裏面の斜視図であり、この図を用いて裏面にある構造について説明する。コイン形電池７交換は、電池交換蓋１３に設けられた開閉用溝１３ａにコイン等を差し込んで回転させることにより、電池交換蓋１３はケースＢ１２から外れ、コイン形電池７が露出し交換が可能となる。電池交換蓋１３とケースＢ１２との結合部は、図示されていない雄ねじ、雌ねじで構成されている。尚、前記結合部の方法は、ねじの固定でも良く、容易に電池を交換できる構造であれば良い。また、地面固定部材１７はＲおよび−Ｒ方向に地面固定用部材回転軸１２ｂを中心として回転する。地面固定部材１７の収納時は、ケースＢ１２の外形内側に収め、ティーショット時に発光装置３を地面に固定する場合は、回転止め１２ａに当たるまで地面固定部材１７を−Ｒ方向に回転し発光装置３から突出させ地面に差し込む。
【００２６】
発光装置３をボールマーカとして使用する場合について、図５を用いて説明する。紐５とスライドレバー４の少なくともどちらか一方に設けた図示しない取外可能なフックをグリーンに向かう途中に外し発光装置３単体にする。グリーン上では、スライドレバー４をＸ方向に引き出し、発光ダイオード６を点灯もしくは点滅させるが、音響発生器８が必要ない場合は、図示しないスイッチにより切る。また、前記のように発光装置３の外側ケースは内部の発光体の光が外部から認識出来るように、透明もしくは半透明のプラスチック材料のケースＡ１１とケースＢ１２と電池交換蓋１３で構成されているが、蛍光塗料を用いるか、蛍光顔料入りのプラスチック材料を用いることにより、グリーン上で発光装置の点滅、点灯を控えたい時や電池切れの時に、光量は少ないが発光させることが可能となる。
【００２７】
本発明では、電源にコイン形電池７を用いたが、ボタン形電池等の円筒形状のものでも良く、本発明では、電気回路の通電有無を行うスライドレバー４を電源であるコイン形電池７のマイナス電極７ｂ側に配置したが、プラス電極７ａ側に配置しても良い。
【００２８】
このようなゴルフティーに連結された発光装置の形態を採用したので、夏秋の草の多い時期や早朝夜間の暗い時間帯、悪天候の環境下でも、ティーショット後に、ティーに連結された発光装置が点灯もしくは点滅するので容易にゴルフティーを探せる効果がある。
【産業上の利用可能性】
【００２９】
釣りのウキは、使用しないときに電池を逆に差しておくことにより電池の磨耗を防いでいるが、本発明を用いることにより、電池の差換えの手間が省け、釣りの仕掛けをつくる時間が短縮される。
【符号の説明】
【００３０】
１  ゴルフティー
２  弾性部材
３  発光装置
４  スライドレバー
５  紐
６  発光ダイオード
６ａ  プラス極端子
６ｂ  マイナス極端子
７  コイン形電池
７ａ  プラス電極
７ｂ  マイナス電極
８  音響発生器
９  マイナス電極部材
１０  プラス電極部材
１１  ケースＡ
１１ａ  ストッパー
１２  ケースＢ
１２ａ  回転止め
１２ｂ  地面固定用部材回転軸
１３  電池交換蓋
１３ａ  開閉用溝
１４  ねじ
１５  マイナス電極部材
１６  プラス電極部材
１７  地面固定部材               
【図１】
0005565730.tif 000002
【図２】
0005565730.tif 000003
【図３】
0005565730.tif 000004
【図４】
0005565730.tif 000005
【図５】
0005565730.tif 000006
【図６】
0005565730.tif 000007
【図７】
0005565730.tif 000008
【図８】
0005565730.tif 000009
【図９】
0005565730.tif 000010